(57)【要約】【課題】森林資源を損なう事の無い様に、コンクリートにおいて多用されている木材製のせき板をコンクリート製の物とする。そして、コンクリートの構造物が出来上がった最にはこれを取り外す事なく密着させたまゝにして置く事でせき板の産業廃棄物化を防げ、又コンクリートの構造物の表面を保護することで耐久性を向上させる。しかし、単にせき板材料をコンクリートにし密着させるだけではコンクリート構造物の施工不良を隠蔽する板となるだけで耐久性の向上にはならない。【解決手段】型枠のせき板材料をコンクリートで作り、これに透明プラスチック板の窓を設け、生コンクリートの打設状況を施工中に観察、対処出来るようにした。更に、洗濯板状の凹凸を生コンクリートと接する面に斜めに設けてコンクリートペーストと空気の流れにそれぞれの方向性を与えて施工性と密着性を良くした。これ等の工夫により従来の木材を用いた以上の利便性を得るので従来の木材せき板に代わり多用されゝば木材資源の削減に大いに効果を得る。【選択図】　図５
2004068565.tif 000002
【特許請求の範囲】
【請求項１】
【図１】の様に木材合板せき板に代わってコンクリートと組上げられた鉄の心材２によって作られた適当な長さと幅と厚みを持ったせき板であって、セパレータを通して締め付ける為の穴３を有し、重ね合わせる部分６に凹凸の部分を設け、施工中に生コンクリートの流れ具合を見る為のプラスチック樹脂製の板４を窓５に設けたせき板１であってコンクリート構造物が出来上がっても取外す事なく構造物表面に密着させ一体化させた物。
【請求項２】
前記せき板においてマンション、ビル等の外壁に用いられる際にあらかじめ表面に化粧タイルを張り付け化粧タイルと一体になった物。
【請求項３】
請求項１〜２の前記せき板においてコンクリートの表面とより密着させ、又ペーストの流れと空気の抜けを良くする為に図５の様にせき板とコンクリート構造物との接合面に洗濯板状の凹凸の山を設けそれに角度を付けた物。
【請求項４】
前記せき板において材質を木材、鉄、プラスチックにした物。つまり、従来の材質のせき板にプラスチック製の板を窓として一部に設けた物。
【発明の詳細な説明】
【０００１】
【発明の属する技術分野】
この発明はコンクリート構造物を造る際の型枠のせき板に関するものである。
【０００２】
【従来の技術】
【図２】の様にならしコンクリート９の上に組上がった鉄筋６の周囲を６〜１２ミリ程のベニア合板（コンパネ）をせき板１として型枠を造り、セパレーター２を用いて厚みを保持させると共にパイプ３を締め付けクランプ４を用いて外周を押さえ付け、更に型枠全体を動かないように木材もしくは鉄の角材７を用いて固定する。しかる後に、これに生コンクリートを流し込み、コンクリート５が固まった後で支保材３、４、７及びせき板１を取外す。
更にセパレーターのスペーサー８を取り除き穴の部分をモルタルで埋め補修する。
【０００３】
【発明が解決しようとする課題】
従来、コンクリート建造物において型枠のせき板に用いられるコンパネと称される外洋木材を原料とした厚さ１２ミリ程の合板はコンクリート製のビルやダム、住宅その他道路の支柱等の建造物において型枠形成材としてどの建設現場においても便利に用いられて来たが型枠にコンクリートが流し込まれ目的とする建造物が出来上がれば、多くは再利用される事無く産業廃棄物として廃棄され、処理場にて燃えるゴミとして燃やされ処分されて来た。
現在に至るまで日本の各地、各都市において多くのビル、道路などの建造物が作られて来たが型枠に用いられた外洋材を原料としたコンパネ合板無くして多くのビル、ダム、海辺や川岸の護岸、畑の導水路、道路などのコンクリート建造物の建設はありえなかった。
しかしながら、それは安価な原料として調達して来た東南アジア等の森林資源の乱獲を招き、一説によればフィリピンの森林の４／５が失われたとも言われている。古来、文明の発達と森林資源の消滅は深い関わりがあり、森林資源の枯渇に伴う文明の衰退と消滅も古来ありえている。
現代においては森林資源の減少及び、化石燃料の使い過ぎによる地球温暖化の傾向が更に進み、氷河の後退、旱魃、洪水、異常気象、島々からなる国の海岸線の上昇及び国土の部分的な消失等の重大な問題が生じている。
この発明は木材資源の使い捨てと焼却処理を妨げ、結果として森林資源を保護し、地球温暖化の傾向から人々を守る為のものである。
【０００４】
【課題を解決するための手段】
従来、建築現場で大部分使い捨て燃やされていた型枠のせき板の材質を木材以外のコンクリートに変え、かつ従来のコンパネ合板と同等以上の利便性を持たせこれをそのまま構造物の表面に保護材として密着させる事である。
その為
【図１】、
【図３】の様にコンクリート型枠のせき板１を十分な強度を持った適当な厚さのコンクリートで作り、これに打設する生コンクリートの流れ具合を見る為に透明なプラスチック樹脂製の板４を窓５に設けセパレーター２で厚さを保ち、ほぼ従来の木製型枠のせき板の様に用いて型枠とする。
これに生コンクリートを打設し、窓から打設状況を観察し不良とする箇所があれば付き固め等で対処する。構造物が出来上がった際はこれを取り外す事なくそのまゝ外表面材として使用する。
窓部分５はコンセントボックスと電線配管を埋め込むかそのまゝモルタルで埋めて補修する。
【０００５】
【発明の実施の形態】
【図１】の様にせき板として適当な長さと幅と厚みを持ち、重ね合わせる上部と横の部分に凹凸の部分を設けて縦横重ね合わせ易いようにし、生コンクリートを打設している時にコンクリートの流れの状況を観察・対処出来る様に透明なプラスチック樹脂製の板を取り付け窓としたせき板である。
【０００６】
【発明の効果】
従来、コンクリート打ち込み用型枠に薄板状のコンクリートブロック板を用いて使用された型枠がそのまゝ仕上材となるものはあったが、壁、柱等のコンクリート打ち込みにおいて、施工不良によるコールドジョイント、
「じゃんか」、ひび割れ等のコンクリート構造体の欠陥は隠蔽されるのみであるのでそれ相応の構造体に使用されるだけで型枠材としては限界のある物であった。
この事から、施工するコンクリート構造体の強度に相応の確かな設計強度及び耐久性が要求される場合は木材合板、鉄板等による型枠をもって施工し、コンクリート構造体固化後にこれを取り外し不良箇所に対処する物であった。
この発明では、せき板にプラスチックの窓を設ける事により、従来の方法ではなし得なかった施工中における「じゃんか」、コールドジョイント、ひび割れ、豆板、等が生コンクリート打設施工中及びコンクリート固化の養生中に早期に発見され対処されることを可能にした点である。
又、密着面に洗濯板状の波形の凹凸を斜めに用いる事によりコンクリートペーストの流れを両脇に向かわせ、それに伴い空気の流れを山の途切れた部分に向かわせる事で空気抜きをより容易にさせた。
これにより、「じゃんか」部分へのペーストの流れと空気抜きが促進される事になる。
更に、この発明の利便性によりコンクリート構造物を造る際の型枠のせき板材にコンクリートが多用されれば、森林の伐採が削減される事である。
これは、従来の木材型枠が処分され燃やされ大気に放出される分のＣＯの削減に大いに寄与し地球温暖化を妨げる。
せき板がコンクリート構造物の表面を覆うのでコンクリート構造物の表面が外気より守られ、コンクリートの中性化とそれに伴う鉄筋のサビと膨張から生じるコンクリートのひび割れ、更に表面の剥離といったコンクリート構造物の劣化の速度を遅らせる事が出来る。
例えば、２センチ程の厚さのコンクリートのせき板であれば、鉄筋のかぶりのコンクリートが１センチ以上あることになり、この事は施工不良の無いコンクリート構造物では耐久性が３０年程増す事を意味する。
せき板が取り外される事なくそのまゝビル及びコンクリート建造物の表面に残る事によって産業廃棄物となること無く廃棄のコストが無くなる。
せき板が工場にて大量生産される為、せき板の型枠材に木材が使用されるにせよ再利用が可能なものとなる。又、せき板の型枠材に木材以外の鉄板、プラスチック等が用いられる事にもなり省エネルギーになる。
せき板の撤去が無くなるので従来、型枠撤去の時期尚早によるコンクリートの亀裂といった現象が無くなる。
同様にせき板の撤去が無くなるので支保材のみの撤去で済み、現場としては工期が短縮出来る。
せき板が木材でなくコンクリートである為にせき板のゆがみ、変形が無い。
せき板の窓部分の補修の際に必要があればコンセントボックス及び電源の配線の配管を埋め込む事が出来る。
【図面の簡単な説明】
【図１】せき板の斜視図
【符号の説明】
１はコンクリート型枠のせき板　２は補強鉄線の芯材
３はセパレーターの軸通し穴　４は透明プラスチック樹脂板　５は窓部
６は重ね合わせ凸部分　７は電線（管）通し穴
【図２】2004068565.tif 000003
【符号の説明】
１はコンクリート型枠のせき板　２は補強鉄線の芯材
３はセパレーターの軸通し穴　４は透明プラスチック樹脂板　５は窓部
６は重ね合わせ凹部分
【図３】従来型の型枠断面図
【符号の説明】
１はコンクリート型枠のせき板　２はセパレーター
３は押さえパイプ　４は押さえクランプ　５はコンクリート　６は鉄筋
７はせき板支保材　８はセパレーターのスペーサー部分
９はならし（捨て）コンクリート部分
【図４】本発明による型枠断面図
【符号の説明】
１はコンクリート型枠のせき板　２はセパレーター　３は押さえパイプ
４は透明プラスチック樹脂板　５は窓部　６は鉄筋　７はせき板支保材
８はならし（捨て）コンクリート部分
【図５】本発明によるせき板の密着（裏面）部正面図と側面図
請求項３の説明図
【符号の説明】
１はコンクリート型枠のせき板　２はプラスチック樹脂板の窓　３は洗濯板状の山　４は山のない部分　５はセパレータ通し（間隔固定）穴
６は電線（管）通し穴
【図６】本発明による支保材を除いた柱、壁、梁における施工状況図
【符号の説明】
１はコンクリート型枠のせき板　２はプラスチック樹脂板の窓
３は電線（管）通し穴　４はセパレータ通し（間隔固定）穴
５は打設固化したコンクリート部分　６は梁、壁の断面　７は鉄筋
【図１】
2004068565.tif 000004
【図２】
2004068565.tif 000005
【図３】
2004068565.tif 000006
【図４】
2004068565.tif 000007
【図５】
2004068565.tif 000008
【図６】
2004068565.tif 000009